(57)【要約】【課題】すべての網かごに収納された食器等を充分に消毒し乾燥させること。【解決手段】箱型の収納部１０２を有するコンテナ台車１００は、収納部の内面１０２ｂにおいて底面１０２ａより高い位置に取り付けられた支持部２０６−１ａ、２０６−１ｂと、収納部の底面１０２ａ上に着脱可能に設けられ、物品を載置したときに物品と底面１０２ａとの間に空気路を確保する物品載置手段２０７とを具備し、物品載置手段２０７が、収納部の内面１０２ｂと内面１０２ｃとの間で相互に対向し底面１０２ａに沿って延びる２本のフレーム部材２０７ａ1、２０７ａ2であって、各フレーム部材の一端に支持部に係合することが可能な係合部２０７ｃ1、２０７ｃ2が形成された２本のフレーム部材と、一端が一方のフレーム部材２０７ａ1に接続され他端が他方のフレーム部材２０７ａ2に接続され、２本のフレーム部材を支持するフレーム支持部材２０７ｂ1〜２０７ｂ3とを含む。【選択図】図４
2010006324.tif 000002
【特許請求の範囲】
【請求項１】
箱型の収納部を有する可動式コンテナであって、
前記収納部の内面において該収納部の底面より高い位置に取り付けられた支持部と、
前記収納部の底面の上に着脱可能に設けられ、物品を載置したときに該物品と前記底面との間に空気路を確保する物品載置手段と、
を具備し、
前記物品載置手段が、
前記収納部の前記内面とこれに対向する内面との間において相互に対向し前記底面に沿って延びる２本のフレーム部材であって、各フレーム部材の一端に前記支持部に係合することが可能な係合部が形成された２本のフレーム部材と、
一端が一方のフレーム部材に接続され他端が他方のフレーム部材に接続され、前記２本のフレーム部材を支持するフレーム支持部材と、
を含む、ことを特徴とする可動式コンテナ。
【請求項２】
前記物品載置手段が物品を載置しないときに、各フレーム部材の一端に形成された係合部が前記支持部に係合して該支持部より支持され、各フレーム部材の他端が前記収納部の底面に当接して該底面により支持される、請求項１に記載の可動式コンテナ。
【請求項３】
各フレーム部材の一端に形成された前記係合部は、該フレーム部材の一端を該フレーム部材の延設方向に略垂直に湾曲させることにより形成されたものである、請求項１又は請求項２に記載の可動式コンテナ。
【請求項４】
前記支持部は、該支持部が取り付けられる内面に直交する直交面と、該直交面に連続的に接続され前記内面に略平行な平行面と、を含み、
前記直交面と前記平行面と前記内面とにより囲まれる領域に、前記物品載置手段のフレーム部材に形成された係合部を収容する、請求項１から請求項３のいずれかに記載の可動式コンテナ。
【請求項５】
前記支持部が、前記収納部の対向する２つの内面のうち一方の内面に形成された第１支持部と、該２つの内面のうち他方の内面に形成された第２支持部と、を含み、
前記物品載置手段が、第１物品載置手段と第２物品載置手段とを含み、
前記第１物品載置手段に含まれた各フレーム部材の一端に形成された係合部は、前記第１支持部に係合することが可能であり、前記第２物品載置手段に含まれた各フレーム部材の一端に形成された第２支持部に係合することが可能である、請求項１から請求項４のいずれかに記載の可動式コンテナ。
【請求項６】
前記第１物品載置手段に含まれた各フレーム部材の延設方向における長さが、前記第２物品載置手段に含まれた各フレーム部材の延設方向における長さと、略同一である、請求項１から請求項５のいずれかに記載の可動式コンテナ。
【請求項７】
前記収納部の内面と該収納部の底面とが隣接する領域に、該底面から該内面に向かって上昇する傾斜面が形成されている、請求項１から請求項６のいずれかに記載の可動式コンテナ。
【発明の詳細な説明】
【技術分野】
【０００１】
本発明は、大量給食業務等において食缶や食器等の搬送に用いられるコンテナ台車（可動式コンテナ）に関し、特に、積み込まれた食缶や食器等を消毒及び乾燥させることが可能なコンテナ台車に関する。
【背景技術】
【０００２】
従来から学校給食等の大量給食業務では、調理された食品を収納した食缶、食器及びトレーを、給食センターから配送先である学校等に配送するために、さらには、使用済みの食缶、食器及びトレーを学校等から給食センターに配送するために、これら食器等を収納した網かごを積載するコンテナ台車（すなわち可動式コンテナ）が用いられている。このコンテナ台車は、食器等を収納した網かごを積載した後、配送車に乗せられ、学校等又は給食センターに配送される。
【０００３】
このコンテナ台車は、食器等を搬送するためだけでなく、次のように食器等を消毒し乾燥させるためにも用いられる。学校等において、使用済みの食器等を収納した網かごがコンテナ台車に積載される。このコンテナ台車は、配送車に乗せられ給食センターに配送される。給食センターにおいて、コンテナ台車が配送車から降ろされる。食器等を収納した網かごがコンテナ台車から取り出され洗浄機により洗浄される。洗浄後、食器等を収納した網かごが、濡れた状態のままコンテナ台車に積載される。
【０００４】
このように網かごを積載したコンテナ台車は、網かごに収納された食器等を消毒し乾燥させるための構成を有する。かかるコンテナ台車の構成について、図８及び図９を参照して説明する。図８は、従来技術に係るコンテナ台車の外部構成を示す模式図である。図９は、図８に示したコンテナ台車の内部構成を示す模式図である。
【０００５】
コンテナ台車１０は、箱型の収納部１１を有する筐体１２と、この筐体１２の底面に取り付けられたキャスター１３と、を含む。筐体１２の正面には、扉１４が設けられている。この扉１４を開くことにより、図９に示すように収納部１１が開放される。なお、図９では、説明の便宜上、扉１４の表現が省略されている。
【０００６】
収納部１１内には、例えば４つの棚１６が設けられている。４つの棚１６の各々は、所定の間隔をおいて紙面上奥行き方向に延びる複数の桟１６ａにより構成されている。この棚１６の上に、複数の網かご１７が載せられる。
また、筐体１２の上面には、筐体１２の外部と収納部１１の内部とを連通させる開口部１５が形成されている。
【０００７】
以上の構成を有するコンテナ台車１０においては、コンテナ台車１０の上方に位置させた熱風発生装置（図示しない）により発生させられ、開口部１５を介して収納部１１内に送り込まれた熱風が、収納部１１内の側面に沿って移動する。この熱風は、棚１６とその下に隣接する棚１６の上に載せられた網かごとの間を通る。これにより、網かごに収納された食器等に熱風が当てられるので、これら食器等は、熱殺菌されるとともに乾燥させられる。
【発明の開示】
【発明が解決しようとする課題】
【０００８】
しかしながら、上記従来技術に係るコンテナ台車には、以下に示すような問題がある。すなわち、コンテナ台車１０の収納部１１の最下段に配置された網かご１８（棚１６の上にではなく収納部１１内の底面に直に載せられた網かご１８）に収納された食器等には、充分に熱風が行き渡らず、この網かご１８に収納された食器等の熱殺菌及び乾燥が不充分になる、という問題がある。
具体的には、最下段に配置された網かご１８と、これの上方に隣接する棚１６との間には、熱風が通る隙間が確保されている。これに比べて、最下段に配置された網かご１８と収納部１１内の底面との間には、熱風が通るための隙間がほとんどない。よって、このような網かご１８の特に下方に収納された食器等には、熱風がほとんど当たらない。
【０００９】
この問題を解決するために、収納部１１の底面の上方に棚１６を１段追加する手法が行われている。ところが、底面の清掃性を損なわないようにするために、底面と追加しようとする棚１６との間に、手腕が入る程度の高さを確保しなければならない。よって、この手法を採用した場合には、収納部１１内の高さを高くしなければならないため、結果として、コンテナ台車１０の高さが高くなってしまう。
【００１０】
本発明は、かかる問題点に鑑みてなされたものであり、すべての網かごに収納された食器等を充分に消毒し乾燥させることが可能なコンテナ台車（可動式コンテナ）を提供することを目的とする。
【課題を解決するための手段】
【００１１】
本発明に係る可動式コンテナは、箱型の収納部を有する可動式コンテナであって、前記収納部の内面において該収納部の底面より高い位置に取り付けられた支持部と、前記収納部の底面の上に着脱可能に設けられ、物品を載置したときに該物品と前記底面との間に空気路を確保する物品載置手段と、を具備し、前記物品載置手段が、前記収納部の前記内面とこれに対向する内面との間において相互に対向し前記底面に沿って延びる２本のフレーム部材であって、各フレーム部材の一端に前記支持部に係合することが可能な係合部が形成された２本のフレーム部材と、一端が一方のフレーム部材に接続され他端が他方のフレーム部材に接続され、前記２本のフレーム部材を支持するフレーム支持部材と、を含む、ことを特徴とする。
【発明を実施するための最良の形態】
【００１２】
以下、本発明の実施の形態について、図面を参照して説明する。なお、参照図面において共通する構成要素に対しては、同一の参照符号が用いられる。
【００１３】
（一実施の形態）
図１は、本発明の一実施の形態に係るコンテナ台車（可動式コンテナ）の外部構成を示す模式図である。図２は、図１に示したコンテナ台車の内部構成を示す模式図である。
図１及び図２を参照すると、本実施の形態に係るコンテナ台車１００は、箱型の収納部１０２を有する筐体１０１と、この筐体１０１の底面に取り付けられたキャスター１０４と、を含む。
【００１４】
筐体１０１の或る１つの面には、開閉可能な扉１０３が２つ設けられている。また、筐体１０１の上記或る１つの面と対向する面にも、同様の扉を設けることもできる。図２には、この扉１０３を開くことにより、収納部１０２が開放された状態を示している。なお、図２では、説明の便宜上、扉１０３の表現は省略されている。
【００１５】
収納部１０２内には、例えば４つの棚２０１ａ〜２０１ｄが設けられている。各棚は、所定の間隔をおいて紙面上奥行き方向に延びる複数の桟２０２により構成されている。この棚の上に、複数の網かご２０３が載せられる。
また、筐体１０１の上面には、筐体１０１の外部と収納部１０２の内部とを連通させる開口部２０４が形成されている。
【００１６】
収納部１０２内の底面１０２ａの上には、網かご等の物品を載置するための物品載置装置が着脱自在に設けられている。本実施の形態では、一例として、底面１０２ａの上に２つの物品載置装置２０７及び２０８が設けられている。さらに、図１及び図２には示されていないが、収納部１０２内の対向する２つの内面には、それぞれ、物品載置装置２０７及び物品載置装置２０８を支持する支持部が、底面１０２ａより高い位置に取り付けられている。これら物品載置装置２０７及び２０８並びに支持部について、さらに図３及び図４を参照して説明する。
【００１７】
図３（ａ）は、図２に示したコンテナ台車をＡ−Ａ'断面に沿って表現した断面図であり、図３（ｂ）は、図３（ａ）に示したコンテナ台車に設けられた物品載置装置を示す正面図である。図４は、図２に示したコンテナ台車の一部を拡大して表現した斜視図である。
【００１８】
まず、支持部に着目する。図３（ａ）に示すように、収納部１０２内の対向する２つの内面（内面１０２ｂ及び内面１０２ｃ）には、支持部が取り付けられている。具体的には、内面１０２ｂには、例えば２つの支持部、すなわち、支持部２０６−１ａ及び支持部２０６−１ｂが取り付けられている。同様に、内面１０２ｃには、例えば２つの支持部、すなわち、支持部２０６−２ａ及び支持部２０６−２ｂが取り付けられている。
【００１９】
これらの支持部のうち支持部２０６−１ａ及び支持部２０６−１ｂの形状が、図４に示されている。支持部２０６−１ｂは、金属製の板により構成されており、内面１０２ｂに当接する取付面２０６−１ｂ1と、これに連続的に接続され内面１０２ｂに直交する第１支持面２０６−１ｂ2と、これに連続的に接続され内面１０２ｂに略平行な第２支持面２０６−１ｂ3と、を含む。支持部２０６−１ｂは、内面１０２ｂにおいて底面１０２ａより高い位置に取り付けられている。支持部２０６−１ｂは、取付面２０６−１ｂ1を内面１０２ｂに対してネジにより固定することにより、内面１０２ｂに取り付けられる。
支持部２０６−１ａは、支持部２０６−１ｂと同様の構成を有しており、内面１０２ｂにおいて支持部材２０６−１ｂと同じ高さとなるように取り付けられる。
【００２０】
他方、支持部２０６−２ａ及び２０６−２ｂは、図４には表現されていないが、図４に示した内面１０２ｂに対向する内面１０２ｃ（図３参照）に対して、同様の手法により構成され取り付けられる。
【００２１】
次に、物品載置装置２０７及び２０８に着目する。図３に示す物品載置装置２０７は、図４にも同様に示すように、例えば２本の丸棒状フレーム部材２０７ａ1及び２０７ａ2と、例えば３本の板状フレーム支持部材２０７ｂ1〜２０７ｂ3と、により構成される。２本のフレーム部材２０７ａ1及び２０７ａ2は、内面１０２ｂと内面１０２ｃとの間において相互に対向しており、底面１０２ａに沿って延びている。
【００２２】
また、２本のフレーム部材２０７ａ1及び２０７ａ2の一端には、それぞれ、支持部２０６−１ａ及び支持部２０６−１ｂに係合することが可能な係合部２０７ｃ1及び係合部２０７ｃ2が形成されている。この係合部２０７ｃ1（２０７ｃ2）は、例えば、フレーム部材２０７ａ1（２０７ａ2）の一端を、該フレーム部材の延設方向に略垂直に湾曲させることにより形成されたものである。
【００２３】
３本のフレーム支持部材２０７ｂ1〜２０７ｂ3は、一端がフレーム部材２０７ａ1に接続され他端がフレーム部材２０７ａ2に接続されることにより、フレーム部材２０７ａ1及びフレーム部材２０７ａ2を支持する。
【００２４】
このような構成を有する物品載置装置２０７は、図３に示すように、収納部１０２内の底面１０２ａに対して平行に該底面に沿って設けられたときには、この物品載置装置２０７の上に網かご等の物品を載置することができる。なお、この場合、係合部２０７ｃ1及び係合部２０７ｃ2は、底面１０２ａに当接しているので、支持部２０６−１ａ及び支持部２０６−１ｂに係合せず、これらよりも下方に位置していることは、いうまでもない。
【００２５】
また、物品載置装置２０７は、図４に示すように、フレーム部材２０７ａ1に形成された係合部２０７ｃ1を、収納部１０２内の内面１０２ｂに取り付けられた支持部２０６−１ａに係合させ、同様に、フレーム部材２０７ａ2に形成された係合部２０７ｃ2を、収納部１０２内の内面１０２ｂに取り付けられた支持部２０６−１ｂに係合させることができる。この場合、フレーム部材２０７ａ1の一端に形成された係合部２０７ｃ1及びフレーム部材２０７ａ2の一端に形成された係合部２０７ｃ2は、それぞれ、支持部２０６−１ａ及び支持部２０６−１ｂにより支持される一方、フレーム部材２０７ａ1の他端及びフレーム部材２０７ａ2の他端は、収納部１０２内の底面１０２ａに当接して該底面により支持される。
【００２６】
このように、フレーム部材２０７ａ2に形成された係合部２０７ｃ2が支持部２０６−１ｂに係合したときには、係合部２０７ｃ2は、図４に明確に示すように、収納部１０２ｂと支持部２０６−１ｂの第１支持面２０６−１ｂ2と第２支持面２０６−１ｂ3とにより囲まれる領域に収容されることにより、係合部２０７ｃ2は支持部２０６−１ｂにより支持されることになる。このような関係は、フレーム部材２０７ａ1に形成された係合部２０７ｃ1と支持部２０６−１ａとの間にも同様に当てはまる。
【００２７】
なお、物品載置装置２０８は、上述した物品載置装置２０７と同様の構成を有する。ただし、物品載置装置２０７及び物品載置装置２０８は、図３に示すように両者の間に隙間を確保しつつ底面１０２ａに対して平行に配置されるように、その大きさが決定される。
【００２８】
次に、以上のような構成を有するコンテナ台車の動作について、先に用いた図２及び図３に加えて図５乃至図７を参照して説明する。
図５は、図１に示したコンテナ台車の内部構成を示す模式図である。図６（ａ）は、図５に示したコンテナ台車をＢ−Ｂ'断面に沿って表現した断面図であり、図６（ｂ）は、図６（ａ）に示したコンテナ台車をＣ−Ｃ’断面に沿って表現した正面図である。図７は、本発明の一実施の形態に係るコンテナ台車における物品載置装置の周りでの熱風の移動を示す模式図である。
【００２９】
物品載置装置２０７及び物品載置装置２０８は、図２及び図３に示す状態（以下便宜上「第１状態」という。）では、ともに、底面１０２ａに沿って該底面に平行に配置されることにより、網かご２０３を載置することができる。この第１状態では、物品載置装置２０７に着目すると、或る１つの網かごは、フレーム部材２０７ａ1及びフレーム部材２０７ａ2の上に跨って載置される。すなわち、この網かごの底面は、これらフレーム部材の上面に当接する。ここで、フレーム部材２０７ａ1とフレーム部材２０７ａ2との間には間隔がおかれている（図４参照）とともに、これらフレーム部材は、これらの下に接続されたフレーム支持部材２０７ｂ1〜２０７ｂ3により支持されている（図３及び図７参照）。よって、この網かごの底面と収納部１０２の底面１０２ａとの間には、実質的に、フレーム部材２０７ａ2（又はフレーム部材２０７ａ1）の厚みとフレーム支持部材２０７ｂ1（フレーム支持部材２０７ｂ2又は２０７ｂ3）の厚みとを加えたものに相当する高さ（図７における高さＸ）の空間が確保される。この空間は、熱風が通るための空気路として機能することができる。このような機能は、物品載置装置２０７と同様の構成を有する物品載置装置２０８も同様に備わっている。
【００３０】
このように機能する物品載置装置２０７及び物品載置装置２０８によれば、これらの上に載置される網かごには、充分な熱風が当てられることになる。
すなわち、図７を参照するに、筐体１０１の上面に形成された開口部２０４（図２参照）を介して収納部１０２内に送り込まれた熱風は、収納部１０２の内面に沿って下方に移動し（矢印Ｆ1及びＦ2）、底面１０２ａに衝突して紙面上左方向に向きを変え、物品載置装置２０８の対向する２つのフレーム部材２０８ａ2とフレーム部材２０８ａ1との間に進行する（矢印Ｆ3）。
【００３１】
このように両フレーム部材の間に入った熱風の一部は、網かご７０１の底面から網かご７０１の内部に入り込む（矢印Ｆ4及びＦ5）。また、両フレーム部材の間に入った熱風の一部は、網かご７０１の底面を通過する。このように網かご７０１を通過した熱風の一部は、矢印Ｆ6に示すように、物品載置装置２０８の上方に抜けて、網かご７０１又は網かご７０２の側方からこれらの内部に移動しうる。また、網かご７０１を通過した熱風の一部は、そのまま底面１０２ａに沿って移動して網かご７０２の下方を移動する（矢印Ｆ7）。
【００３２】
網かご７０２の下方を移動する熱風もまた、網かご７０１の下方を移動した熱風（矢印Ｆ4及びＦ5）と同様な移動をしうる（矢印Ｆ8乃至Ｆ10）。網かご７０２を通過した熱風（矢印Ｆ11）は、上述したように、物品載置装置２０７の上方に抜け、網かご７０２及び７０３の側方からこれらの網かごの内部に進行するか、又は、網かご７０３の下方に入り込む。
【００３３】
網かご７０３の下方に入り込んだ熱風もまた、上述した矢印Ｆ4、Ｆ5、Ｆ8〜Ｆ10と同様に移動して、網かご７０３内に入り込む（矢印Ｆ12〜Ｆ14）。網かご７０３の下方を通過した熱風は、物品載置装置２０７の上方に抜ける（矢印Ｆ15）。
以上、第１状態について説明した。
【００３４】
一方、物品載置装置２０７及び物品載置装置２０８は、図５及び図６に示す状態（以下便宜上「第２状態」という。）では、網かごを載置しない。すなわち、物品載置装置２０７に着目すると、フレーム部材２０７ａ2の「一端」に形成された係合部２０７ｃ2は、内面１０２ｂにおいて底面１０２ａより高い位置に取り付けられた支持部２０６−１ｂにより支持され、フレーム部材２０７ａ2の他端は、底面１０２ａに当接してこれに支持される。フレーム部材２０７ａ2に対向するフレーム部材２０７ａ1についても、その一端は、内面１０２ｂに取り付けられた支持部２０６−１ａにより支持され、その他端は、底面１０２ａに当接してこれに支持される。
よって、図５及び図６（ｂ）に明確に表現されているように、物品載置装置２０７と底面１０２ａとの間には、底面１０２ａを清掃しようとする作業員の手腕が入り込むことができるような空間が確保されている。
【００３５】
さらにまた、第１状態から第２状態への移行をさらに容易にするために、図４に示すように、収納部１０２の底面１０２ａと内面１０２ｂとが隣接する領域に、この底面から内面１０２ｂに向かって上昇する傾斜面４０１が形成されている。これにより、作業員が第１状態にある物品載置装置２０７を内面１０２ｂに向かう力を加えると、この傾斜面４０１に当接した係合部２０７ｃ1及び係合部２０７ｃ2がこの傾斜面４０１に沿って上方に移動する。これにより、フレーム部材２０７ａ1、２０７ａ2と底面１０２ａとの間に空間が生じるので、作業員は、これらフレーム部材を握持し易くなる。
【００３６】
以上の事項は、物品載置装置２０７と同様の構成を有する物品載置装置２０８にも同様に当てはまる。
以上、第２状態について説明した。
【００３７】
（他の実施の形態）
上述した実施の形態では、物品載置装置として、２つの物品載置装置２０７及び２０８を用いる場合について説明した。しかしながら、１つの物品載置装置のみを用いることも可能である。この場合には、収納部１０２の内面１０２ｂ及び内面１０２ｃのうちのいずれか一方に、この物品載置装置を支持する支持部を設けることができる。また、この場合、物品載置装置は、内面１０２ｂと内面１０２ｃとの間においてできるだけ長い構成を有することが有利である。載置できる網かごの数を多くすることができるからである。
【００３８】
また、上述した実施の形態では、２つの物品載置装置２０７及び２０８が、延設方向において同一の長さを有する場合について説明したが、両者が内面１０２ｂと内面１０２ｃとの間に設けることができる限り、両者の延設方向における長さを同一にする必要はない。すなわち、一方の物品載置装置が他方の物品載置装置より延設方向に長くなるように構成してもよい。
【００３９】
さらに、上述した実施の形態では、各物品載置装置は、相互に平行に延びる２つのフレーム部材により構成される場合について説明した。しかしながら、各物品載置装置は、３つ以上のフレーム部材により構成することも可能である。フレーム部材の数は、載置しようとする網かごのサイズ（特に例えば図３における上下方向における網かごの長さ）に応じて、増やすことができる。
【００４０】
さらにまた、上述した実施の形態では、各物品載置装置が３つのフレーム支持部材を有する場合について説明した。しかしながら、各物品載置装置に用いられるフレーム支持部材の数に限定はない。最終的に要求される物品載置装置の全体的な重量及び強度に応じて、フレーム支持部材の数を増減させることができる。
【００４１】
各物品載置装置に用いられるフレーム部材及びフレーム支持部材の形状は、丸棒状又は板状に限定されず、適宜変更することが可能なものである。
【００４２】
また、上記実施の形態では、熱風発生装置の下方にコンテナ台車を位置させ、コンテナ台車の上面に設けられた開口部を介して、熱風発生装置により発生させた熱風をコンテナ台車の収納部内に取り込むことにより、コンテナ台車の収納部内に熱風を供給する方式が想定されている。しかしながら、本発明はこれに限定されるものではない。すなわち、例えば、コンテナ台車の或る面に形成された扉やシャッター等を開けることにより収納部内部を外部と連通させた状態のコンテナ台車、又は、収納部内に連通する開放面等が設けられたコンテナ台車を、熱風発生装置内の収容領域（この領域内で熱風が循環させられる）に収容することにより、コンテナ台車の収納部内に熱風を送り込む方式を採用してもよい。この場合、物品載置装置は、そのフレーム部材がコンテナ台車の収納部内においてコンテナ台車の正面に対して平行又は垂直となるように、収納部内に設けることができる。
【００４３】
以上説明したように、本発明によれば、最下段に配置された網かごに収納された食器等も、充分に熱風が当てられるので、充分に消毒され乾燥させられる。また、特別な棚を追加する必要もないので、収納部内を大幅に改造する必要もコンテナ台車の高さを高くする必要もなく、したがって、必要とされるコストを抑えながら、積み込まれた網かごに収納された食器等に対する消毒・乾燥作用を高めることができる。また、各段の棚に載置できる網かごのサイズを変える必要もないので、従来から流通・流用されている大量の網かごをそのまま利用することができる。
また、物品載置装置は、物品を載置するために収納部の底面に沿って配置された第１状態から、一端を収納部の底面により支持され他端を収納部の内面により支持される第２状態に容易に移行することができるので、物品の載置機能と収納部の底面の清掃性機能とを確保することができる。
【図面の簡単な説明】
【００４４】
【図１】図１は、本発明の一実施の形態に係るコンテナ台車の外部構成を示す模式図である。
【図２】図２は、図１に示したコンテナ台車の内部構成を示す模式図である。
【図３】図３（ａ）は、図２に示したコンテナ台車をＡ−Ａ'断面に沿って表現した断面図であり、図３（ｂ）は、図３（ａ）に示したコンテナ台車に設けられた物品載置装置を示す正面図である。
【図４】図４は、図２に示したコンテナ台車の一部を拡大して表現した斜視図である。
【図５】図５は、図１に示したコンテナ台車の内部構成を示す模式図である。
【図６】図６（ａ）は、図５に示したコンテナ台車をＢ−Ｂ'断面に沿って表現した断面図であり、図６（ｂ）は、図６（ａ）に示したコンテナ台車をＣ−Ｃ’断面に沿って表現した正面図である。
【図７】図７は、本発明の一実施の形態に係るコンテナ台車における物品載置装置の周りでの熱風の移動を示す模式図である。
【図８】従来技術に係るコンテナ台車の外部構成を示す正面図である。
【図９】図９は、図８に示したコンテナ台車の内部構成を示す正面図である。
【符号の説明】
【００４５】
１００  コンテナ台車
１０１  筐体
１０２  収納部
１０２ａ  底面
１０２ｂ、１０２ｃ  内面
１０３  扉
１０４  キャスター
２０３  網かご
２０４  開口部
２０６−１ａ、２０６−１ｂ、２０６−２ａ、２０６−２ｂ  支持部
２０６−１ｂ1  取付面
２０６−１ｂ2  第１支持面
２０６−１ｂ3  第２支持面
２０７  第１物品載置装置
２０７ａ1、２０７ａ2  フレーム部材
２０７ｂ1〜２０７ｂ3  フレーム支持部材
２０７ｃ1、２０７ｃ2  係合部
２０８  第２物品載置装置
２０８ａ1、２０８ａ2  フレーム部材
２０８ｂ1〜２０８ｂ3  フレーム支持部材
２０８ｃ1、２０８ｃ2  係合部
【図１】
2010006324.tif 000003
【図２】
2010006324.tif 000004
【図３】
2010006324.tif 000005
【図４】
2010006324.tif 000006
【図５】
2010006324.tif 000007
【図６】
2010006324.tif 000008
【図７】
2010006324.tif 000009
【図８】
2010006324.tif 000010
【図９】
2010006324.tif 000011